(57)【要約】【課題】工事用足場を構築する際に使用する支柱に簡便に固定することができる支柱ソケットを提案する。【解決手段】上下においてそれぞれ開放する開放端を有し、腕木材４の端部に設けられた楔部材５を上側に位置する開放端から下側に位置する開放端に向けて挿入、嵌合させて支柱６と腕木材４とを相互に連結する少なくとも２つの受け部１、２と、各受け部１、２に一体連結するとともにそれらを該支柱６の外周壁に固定保持するベース３とを備え、該ベース３に、該支柱６との相互間で溶接部Ｗを形成してそれらを一体連結する少なくとも一つの窓孔９を設ける。【選択図】図５
2016079758.tif 000002
【特許請求の範囲】
【請求項１】
上下においてそれぞれ開放する開放端を有し、腕木材の端部に設けられた楔部材を上側に位置する開放端から下側に位置する開放端に向けて挿入、嵌合させて支柱と腕木材とを相互に連結する少なくとも２つの受け部と、各受け部に一体連結するとともにそれらを該支柱の外周壁に固定保持するベースとを備え、該ベースに、該支柱との相互間で溶接部を形成してそれらを一体連結する少なくとも一つの窓孔を設けたことを特徴とする工事用足場の支柱ソケット。
【請求項２】
前記少なくとも２つの受け部は、それぞれ、前記支柱の外周壁との間で間隔を隔てて配置される正面板と、この正面板の幅端部にそれぞれ後端部を連結させてその内側に前記楔部材の挿入、嵌合空間を形成する一対の側板からなり、
前記一対の側板のうちの一方の側板は、前記ベースに一体連結する先端部を有し、他方の側板は、その先端部に、前記支柱の外周壁に接触可能な内周壁を備え、かつ、対向位置に配置された他の支柱ソケットとの端面同士の突き合わせによってその相互間に接続部を形成する継手を有することを特徴とする請求項１に記載した工事用足場の支柱ソケット。
【請求項３】
前記継手は、その端面が、フラット形状、凹形状または凸形状であることを特徴とする請求項２に記載した工事用足場の支柱ソケット。
【請求項４】
前記正面板は、その上端部に、前記腕木材の外周面に沿う曲面（アール）が形成された凹所を有することを特徴とする請求項２または３に記載した工事用足場の支柱ソケット。
【発明の詳細な説明】
【技術分野】
【０００１】
本発明は、建築現場や土木工事現場で構築される工事用足場の支柱と腕木材とをつなぐ支柱ソケットに関するものである。
【背景技術】
【０００２】
建築現場や土木工事現場において構築される工事用足場は、複数本の支柱と、これらの支柱を相互につなぐ複数本の腕木材と、腕木材の相互間に差し渡され、作業床や通路を形成する複数枚の足場板とを適宜組み合わせたもので構成されおり、このうち、支柱と、腕木材とは、腕木材の先端に設けられた楔部材を、支柱の外周壁に固着された受け部に挿入、嵌合させることによって連結されている。
【０００３】
この点に関する先行技術としては、支柱の所定高さ外周に受け金具を設け、２つの支柱間に渡される腕木材の端部に該受け金具に係止される係止金具を設けた、例えば、特許文献１に開示された緊結式足場における緊結装置が知られており、これによれば、くさび案内部の後側に、受け金具の後部上縁に受け止められて腕木材の水平度を保障する下向き段部が形成されており、かつ、くさび作用により腕木材がぐらつくことがないので、しっかりと水平に保たれ、しかも、くさびに、ばね力に優る何らかの力が下から上へ加わったとしても、係止金具側の抜け止めピンが受け金具のピン受入れ孔縁に引っ掛かることから、くさびが上に抜ける危険性がないという利点を有しているとされていた。
【先行技術文献】
【特許文献】
【０００４】
【特許文献１】特開２００８−２８０７４１号公報
【発明の概要】
【発明が解決しようとする課題】
【０００５】
ところで、この種の緊結装置にあっては、受け金具を、溶接を施すことによって支柱の外周壁に固定しているのが一般的であるところ、溶接箇所が多いための受け金具の固定に手間がかかり、支柱の効率的な製作ができないのが現状である。
【０００６】
本発明の課題は、支柱の外周壁に効率的、かつ確実に固定できる工事用足場の支柱ソケットを提案するところにある。
【課題を解決するための手段】
【０００７】
本発明は、上下においてそれぞれ開放する開放端を有し、腕木材の端部に設けられた楔部材を上側に位置する開放端から下側に位置する開放端に向けて挿入、嵌合させて支柱と腕木材とを相互に連結する少なくとも２つの受け部と、各受け部に一体連結するとともにそれらを該支柱の外周壁に固定保持するベースとを備え、該ベースに、該支柱との相互間で溶接部を形成してそれらを一体連結する少なくとも一つの窓孔を設けたことを特徴とする工事用足場の支柱ソケットである。
【０００８】
少なくとも２つの受け部は、それぞれ、支柱の外周壁との間で間隔を隔てて配置される正面板と、この正面板の幅端部にそれぞれ後端部を連結させてその内側に楔部材の挿入、嵌合空間を形成する一対の側板からなるもので構成するのが好ましく、一対の側板のうちの一方の側板は、ベースに一体連結する先端部を有していることが、また、他方の側板は、その先端部に、前記支柱の外周壁に接触可能な内周壁を備え、対向位置に配置される他の支柱ソケットとの端面同士の突き合わせによってその相互間に接続部を形成する継手を有するのが望ましい。また、継手の端面は、フラット形状、凹形状または凸形状とするのが好ましく、さらに、正面板は、その上端部に、腕木材の外周面に沿う曲面（アール）が形成された凹所を有するのが望ましい。
【発明の効果】
【０００９】
本発明の工事用足場の支柱ソケットによれば、窓孔を通して支柱とベースとを溶接することにより支柱ソケットそのものを支柱に固定保持することが可能であり、固定作業が比較的簡単で、溶接箇所も少なくてすむ。
【００１０】
また、本発明の工事用足場の支柱ソケットによれば、受け部、ベース、フランジ部が全て連続しているため単一部材で構成することが可能であり、構造の簡素化を図ることができる。
【００１１】
また、本発明の工事用足場の支柱ソケットによれば、複数の支柱ソケットを支柱の周りに固定する場合、窓孔と継手によって形成された接続部において溶接を行うだけでよく、溶接箇所を極力減らすことができる。
【００１２】
とくに、継手の端面を、フラット形状、凹形状または凸形状とすることにより、支柱ソケットの位置合わせが簡単に行うことが可能となり、溶接作業を効率的に行うことができる。
【００１３】
さらに、本発明の工事用足場の支柱ソケットによれば、正面板の上端部に、腕木材の外周面に沿う曲面（アール）が形成された凹所を設けることにより、腕木材の、支柱に対する連結姿勢が安定化するとともに、腕木材を支柱に対して直角に固定することができるため、完成した工事用足場の全体形状が整然となり、工事用足場の完成後において位置ずれ等の手直しをする必要が非常に少なくなる。
【図面の簡単な説明】
【００１４】
【図１】本発明に従う支柱ソケットの平面を示した図である。
【図２】図１のＡ−Ａ矢視図である。
【図３】図１のＢ−Ｂ矢視図である。
【図４】図１のＣ−Ｃ矢視図である。
【図５】図１に示した支柱ソケットの外観斜視図である。
【図６】図１に示した支柱ソケットの使用状態を示した図である。
【図７】図１に示した支柱ソケットの受け部の断面を示した図である。
【図８】本発明に従う支柱ソケットを支柱の外周壁に配置した状態を示した図である。
【図９】本発明に従う支柱ソケットを支柱の外周壁に配置した状態を示した図である。
【図１０】本発明に従う支柱ソケットの他の例を示した図である。
【図１１】本発明に従う支柱ソケットの他の例を示した図である。
【発明を実施するための形態】
【００１５】
以下、図面を参照して本発明をより具体的に説明する。
図１〜４は、本発明に従う支柱ソケットの実施の形態を模式的に示した図であり、図１は、その平面図、図２は、図１のＡ−Ａ矢視図、図３は、図１のＢ−Ｂ矢視図、図４は、図１のＣ−Ｃ矢視図である。また、図５は、本発明に従う支柱ソケットの外観斜視図であり、図６は、本発明に従う支柱ソケットを支柱の外周壁に２組配置して固定した状態を、腕木材の端部に設けられた楔部材とともに示した外観斜視図である。
【００１６】
本発明に従う支柱ソケットは、厚さが３．０〜３．２ｍｍ程度の溶融亜鉛めっき鋼板、ステンレス鋼板等からなる板材をプレス金型等により一体的に成形したものを用いることができる。
【００１７】
図１〜６における符号１、２は、腕木材の先端に設けられた楔部材を受ける受け部である。この受け部１、２は、ここでは、２つ設けたものを例として示してある。また、３は、受け部１、２に一体連結して２つの受け部１、２を相互につなぐベースである。受け部は、３つ以上設けることもできる。
【００１８】
受け部１、２は、上下にそれぞれ開放端を有するものであり、腕木材４の端部に設けられた楔部材５を、上側の開放端を通してその内側空間Ｍに挿入、嵌合させることによって支柱６と腕木材４とを相互に連結する（支柱ソケットは、支柱６に予め固定されていることが前提）。
【００１９】
上記楔部材５としては、例えば、腕木材４に固定保持され、外端面５ａを支柱６の外周壁に接触させる一方、内端面５ｂを受け部１、２の壁面（正面板）に当接させてその相互間の面圧を高めるテーパー付きのものが用いられる。
【００２０】
また、受け部１、２としては、支柱６の外周壁との間で間隔を隔てて配置される正面板１ａ、２ａと、この正面板１ａ、２ａの幅端部に後端部を連結させてその内側に楔部材５の挿入、嵌合させる嵌合空間Ｍを形成する一対の側板１ｂ、１ｃ、２ｂ、２ｃとからなるものが適用される。
【００２１】
受け部１、２の正面板１ａ、２ａは、図７に示すように、その下端の、支柱６の外周壁に至るまでの水平間隔ｈが、上端の、支柱６の外周壁に至るまでの水平間隔ｈ１よりも小さい傾斜配置になっていて、これにより、楔部材５が嵌合空間Ｍに嵌合した時、楔部材５の内端面５ｂを、正面板１ａ、２ａの内壁面に当接させる。
【００２２】
上記受け部１、２の側板１ｂ、１ｃ、２ｂ、２ｃのうちの一方の側板１ｂ、２ｂは、その先端部が、ベース３に一体連結しており、他方の側板１ｃ、２ｃの先端部は自由端になっている。そして、その自由端には、支柱６の外周壁に接触可能な内周壁を有する継手７、８が設けられている。
【００２３】
継手７、８の端面７ａ、８ａは、支柱ソケットが支柱６の外周壁に配置、固定された状態では、そのそれぞれが図８に示すように支柱６の径方向の中心Ｏを通る直線Ｌ上に位置していて、これにより、支柱ソケットは、支柱６の周りを半周だけ取り囲むようになっている。このため、対向位置に同じ支柱ソケットをもう１つ配置した場合には図９に示すように支柱６の全周を取り囲むこととなり、この時、端面７ａ、８ａ同士が突き合わさりその相互間に接続部Ｓが形成される。
【００２４】
また、９は、ベース３に設けられた窓孔である。この窓孔９は、支柱６と支柱ソケットとをつなぐ溶接部を形成するためのものであって、この窓孔９を利用して支柱ソケットと支柱６との相互間で溶接部Ｗを形成することによって支柱ソケットは支柱６に固定保持される（図６参照）。
【００２５】
この例では、窓孔９として、縦長スリット状の孔を適用した場合について示したが、窓孔９は、支柱ソケットを、支柱６に確実に固定できる強度を確保することができる溶接部を形成することができるものであればよく、その形状や個数についてはとくに限定されることはない。
【００２６】
また、符号１０、１１は、受け部１、２の正面板１ａ、２ａの上端部に設けられた凹所（座部）である。この凹所１０、１１は、腕木材４の外周面に沿う曲面（アール）が形成されていて、楔部材５を受け部１、２に挿入、嵌合させた際に、腕木材４の外周面が凹所１０、１１の曲面に合致して、腕木材４の、支柱６に対する連結姿勢を安定化する機能を有している。この凹所１０、１１により、腕木材４は、支柱６に直角に連結され、整然とした足場の構築が可能となり、足場の完成後において従来不可避であった、位置ずれ等の手直し作業の軽減を図ることができるようになっている。なお、腕木材４と楔部材５とをその下部で溶接によって接合する場合にあっては、腕木材４と支柱６とを連結する際に、溶接によって形成された肉盛部が受け部１、２の側板１ｂ、１ｃ、２ｂ、２ｃの上端部に接触して連結姿勢が不安定になることも懸念されるが、その場合には、側板１ｂ、１ｃ、２ｂ、２ｃの上端部に肉盛部が入り込む凹所を設ければよい。
【００２７】
上記の構成からなる支柱ソケットを支柱６に固定、保持するには、窓孔９において溶接を行う。
【００２８】
また、支柱ソケットの対向位置に支柱ソケットをもう一つ配置して支柱６の周りに４箇所の受け部を形成する、図９に示すような固定形態を採用する場合には、各支柱ソケットの窓孔９で溶接部Ｗを形成することに加え、継手７、８によって形成された接続部Ｓで溶接を行う。なお、継手７、８において溶接部を形成するにあたっては、その先端部をカットして開先を設けておくのが望ましい。
【００２９】
本発明に従う支柱ソケットは、窓孔９と継手７、８の端面７ａ、８ａの接続部Ｓで溶接を行うだけで支柱ソケットを支柱６に固定できるものであって、溶接箇所が少なくてすむ利点を有している。
【００３０】
継手７、８の端面７ａ、８ａについては、フラット形状としてそれらを相互に突き合わせて支柱６に固定することができるが、端面７ａ、８ａは、凹形状あるいは凸形状、あるいはそれらを適宜組み合わせた形状ものを適宜適用することも可能である。
【００３１】
図１０は、継手７の端面７ａに凹部１２を設け、継手８の端面８ａに凸部１３を設けたものである。かかる支柱ソケットによれば、支柱６の周りに支柱ソケットを２組配置して継手７、８の端面７ａ、８ａ同士を突き合せた時、凹部１２と凸部１３とを嵌合させることが可能であり、支柱ソケットの位置決めが行い易い。なお、継手７、８の端面７ａ、８ａは、凹部同士、凸部同士あるいは凹部と凸部で突き合わせるようにしてもよく、この点については限定されない。
【００３２】
さらに、図１１は、本発明に従う支柱ソケットの他の例を示した図である。この支柱ソケットは、厚さ３．０〜３．２ｍｍ程度の鋼管を用い、その鋼管を引抜き成形あるいは絞り加工を施すことによって作製されたものである。受け部１、２は、９０°間隔で４つ設けたものを示したが、その数は任意に設定できる。また、溶接部Ｗを形成する窓孔９については、受け部１、２の相互間に位置するベース３の全てに設けるのが好ましいが、必要な固定強度が確保できるならば、必ずしもベース３の全てに設けなくてもよい。
【００３３】
工事用足場を構築する等、本発明に従う支柱ソケットを備えた支柱６と腕木材４を連結するには、楔部材５を、受け部１、２の上側の開放端を通して嵌合空間Ｍに挿入、嵌合させて該楔部材５の頭部をハンマーにより叩き込めばよく、これにより、支柱６と腕木材４は強固に連結される。
【００３４】
工事用足場を解体する等、腕木材４を受け部１、２から取り外すには、楔部材５を下から叩き上げて嵌合空間Ｍから抜き出せばよい。
【産業上の利用可能性】
【００３５】
本発明によれば、溶接箇所の削減を図り、支柱の外周壁に簡便に固定し得る支柱ソケットを提供できる。
【符号の説明】
【００３６】
１      受け部
１ａ    正面板
１ｂ、１ｃ  側板
２      受け部
２ａ    正面板
２ｂ、２ｃ  側板
３      ベース
４      腕木材
５      楔部材
５ａ    外端面
５ｂ    内端面
６      支柱
７      継手
７ａ    端面
８      継手
８ａ    端面
９      窓孔
１０    凹所
１１    凹所
１２    凹部
１３    凸部
Ｍ      嵌合空間
Ｓ      接続部
Ｗ      溶接部
【図１】
2016079758.tif 000003
【図２】
2016079758.tif 000004
【図３】
2016079758.tif 000005
【図４】
2016079758.tif 000006
【図５】
2016079758.tif 000007
【図６】
2016079758.tif 000008
【図７】
2016079758.tif 000009
【図８】
2016079758.tif 000010
【図９】
2016079758.tif 000011
【図１０】
2016079758.tif 000012
【図１１】
2016079758.tif 000013